(57)【要約】【課題】トイレ用ブースＴの引き戸用戸体３において、該戸体３の上端部に設けられるハンガーローラ４の位置調整をするための調整螺子４ｄを、施錠用の係止ロッド１１が戸体３に取り付けられた状態のまま、左右方向外端側から操作できるようにする。【解決手段】係止ロッド１１の解錠位置を調整螺子４ｄよりも低い位置にすると共に、戸体３に設けられるエッジ部材８、該エッジ部材８に設けられる戸当り９に、前記調整螺子４ｄの調整操作ができるよう第一、第二の切り欠き８ｅ、９ｆを設け、係止ロッド１１が取り付けられた状態のまま、これら切り欠き８ｅ、９ｆを通して左右方向外端側から調整螺子４ｄの操作ができるようにする。【選択図】図８
2019035203.tif 000002
【特許請求の範囲】
【請求項１】
開口部上端部に設けたハンガーレールに、戸体の上端部に設けられるハンガーローラを左右移動自在に吊持することで左右開閉移動ができるように構成した引き戸装置において、戸体の上端部に、ハンガーローラの位置調整をするための調整具を戸体上端部の左右方向外端側から操作できるように設ける一方、戸体の左右方向外端縁部に、躯体側に設けたロック受けに出没自在に嵌入係止して戸体のロックをするため上下移動する係止ロッドが設けられたロック装置を設けるにあたり、係止ロッドは、前記調整具よりも下側位置が解錠位置となるように設定されていることを特徴とする引き戸装置。
【請求項２】
係止ロッドは、上動して施錠位置となった状態では、調整具を戸体の左右方向外端側で塞ぐ位置に設けたロック受けに嵌入係止することで施錠するように構成されていることを特徴とする請求項１記載の引き戸装置。
【請求項３】
戸体の左右方向端縁には、戸体の左右方向端縁を塞ぐための塞ぎ部が設けられたエッジ部材が取り付けられ、該エッジ部材の塞ぎ部には、調整具が左右方向外端側から操作できるよう切り欠きが設けられていることを特徴とする請求項１または２記載の引き戸装置。
【請求項４】
塞ぎ部に設けられる切り欠きは、ハンガーローラを戸体側に組み込むための組み込み部を左右方向外方から嵌入組み込みできる大きさに設定されていることを特徴とする請求項３記載の引き戸装置。
【請求項５】
エッジ部材には、戸体が閉鎖したときに躯体側に当接する戸当りが設けられるものとし、該戸当りには、調整具が左右方向外端側から操作できるよう第二の切り欠きが設けられていることを特徴とする請求項３または４に記載の引き戸装置。
【請求項６】
戸当りに設けられる第二の切り欠きは、ハンガーローラを戸体側に組み込むための組み込み部を左右方向外方から組み込みできる大きさに設定されていることを特徴とする請求項４を引用する請求項５に記載の引き戸装置。
【請求項７】
戸当りは、係止ロッドが上下方向出没自在に内嵌されるものとし、前記第二の切り欠きは、戸体の閉鎖状態で前記ロック受けが戸当りの左右方向外端縁よりも内方に位置できるように設定されていることを特徴とする請求項５または６記載の引き戸装置。
【請求項８】
前記第二の切り欠きは、該戸当りの上端部を切除することで形成されていることを特徴とする請求項５乃至７の何れか１記載の引き戸装置。
【請求項９】
戸当りは、エッジ部材に対して上下方向スライド移動することで嵌合組み込みされるものであることを特徴とする請求項５乃至８の何れか１記載の引き戸装置。
【請求項１０】
開口部上端部に設けたハンガーレールに、戸体の上端部に設けられるハンガーローラを左右移動自在に吊持することで左右開閉移動ができるように構成すると共に、戸体の上端部に、ハンガーローラの位置調整をするための調整具が戸体上端部の左右方向外端側から操作できるよう設けられ、戸体の左右方向外端縁部に、躯体側に設けたロック受けに出没自在に嵌入係止して戸体のロックをするため上下移動する係止ロッドが設けられた引き戸装置において、前記調整具よりも下側位置が係止ロッドの解錠位置となるよう設定されたものであって、戸体が閉鎖したときに躯体側に当接する戸当りが組込まれたエッジ部材を戸体の左右方向外端縁に組け付けた後、戸当り及びエッジ部材の上端部に形成された切り欠きを通してハンガーローラの組み込み部を左右方向外端側から左右スライド移動することでハンガーローラの戸体への組み込みをし、しかる後、係止ロッドを解錠位置にした状態で前記切り欠きを通して調整具の調整操作をするようにしたことを特徴とする引き戸装置の組み込み方法。
【発明の詳細な説明】
【技術分野】
【０００１】
本発明は、トイレブースの出入り口等の開口部に開閉自在に建て付けられる引き戸装置および引き戸装置の組み込み方法の技術分野に関するものである。
【背景技術】
【０００２】
今日、トイレブース出入口等の開口部に引き戸を構成するための戸体を左右開閉移動自在に建て付けたものにおいて、閉鎖時のロックをするためロック装置を設けることがあるが、この様なロック装置のなかには、戸体の左右方向一端部に設けた係止ロッドを上下方向移動自在とし、上動した係止ロッドが、躯体側に設けたロック受けに嵌入係止することで施錠（ロック）をするようにしたものがある（例えば特許文献１参照。）。
一方、戸体を、該戸体の上端部に設けたハンガーローラ（吊り車）を戸枠側に設けたハンガーレールに左右移動自在に吊持することで左右開閉移動できるようにしたものがあり、このようなハンガー方式の戸体のなかには、ハンガーローラの戸体に対する上下位置や前後位置を調整して左右移動の円滑化が図れるようにしたものがある。そしてこのようにするため、ハンガーローラが戸体上端縁から上方に突出するようベース部材を戸体上端部（上框）に埋設状態で組み込んだものとし、そして該ベース部材に戸体上端部の左右端縁から操作できるように設けた調整具を、戸体の左右外端縁側から操作して調整することでハンガーローラの戸体に対する相対的な位置調整をし、これにより戸体のハンガーレールに対する精度良い組み込みをすることができることになる（例えば特許文献２、３参照）。
【先行技術文献】
【特許文献】
【０００３】
【特許文献１】特開２００８−２５５７２９号公報
【特許文献２】特開２０００−２４８８１９号公報
【特許文献３】特開２００９−２９９２６１号公報
【発明の概要】
【発明が解決しようとする課題】
【０００４】
このようなハンガーローラの移動調整ができるようにした戸体に、前記ロック装置を組み付けた場合、係止ロッドが調整具の左右外方に配設されることになって該係止ロッドが調整具を覆蓋してハンガーローラの位置調整の邪魔になり、そこでこのようなものでは、係止ロッドを戸体に組み込む前の段階でハンガーローラの位置調整をしておくことが要求される。このようにした場合、係止ロッドの戸体への組み込みは、各建付け現場においてハンガーローラの位置調整をした後の作業とならざるを得ないが、現場での係止ロッドの組み込み作業は、工場での組み込み作業に比べて精度がどうしても劣るという問題があるだけでなく、建付け後の爾後的変化（継時変化）によりハンガーローラの位置調整をしたい場合、邪魔になる係止ロッドを取り外しての作業が要求されることになって作業性に劣る等の問題があり、これらに本発明の解決すべき課題がある。
【課題を解決するための手段】
【０００５】
本発明は、上記の如き実情に鑑みこれらの課題を解決することを目的として創作されたものであって、請求項１の発明は、開口部上端部に設けたハンガーレールに、戸体の上端部に設けられるハンガーローラを左右移動自在に吊持することで左右開閉移動ができるように構成した引き戸装置において、戸体の上端部に、ハンガーローラの位置調整をするための調整具を戸体上端部の左右方向外端側から操作できるように設ける一方、戸体の左右方向外端縁部に、躯体側に設けたロック受けに出没自在に嵌入係止して戸体のロックをするため上下移動する係止ロッドが設けられたロック装置を設けるにあたり、係止ロッドは、前記調整具よりも下側位置が解錠位置となるように設定されていることを特徴とする引き戸装置である。
請求項２の発明は、係止ロッドは、上動して施錠位置となった状態では、調整具を戸体の左右方向外端側で塞ぐ位置に設けたロック受けに嵌入係止することで施錠するように構成されていることを特徴とする請求項１記載の引き戸装置である。
請求項３の発明は、戸体の左右方向端縁には、戸体の左右方向端縁を塞ぐための塞ぎ部が設けられたエッジ部材が取り付けられ、該エッジ部材の塞ぎ部には、調整具が左右方向外端側から操作できるよう切り欠きが設けられていることを特徴とする請求項１または２記載の引き戸装置である。
請求項４の発明は、塞ぎ部に設けられる切り欠きは、ハンガーローラを戸体側に組み込むための組み込み部を左右方向外方から嵌入組み込みできる大きさに設定されていることを特徴とする請求項３記載の引き戸装置である。
請求項５の発明は、エッジ部材には、戸体が閉鎖したときに躯体側に当接する戸当りが設けられるものとし、該戸当りには、調整具が左右方向外端側から操作できるよう第二の切り欠きが設けられていることを特徴とする請求項３または４に記載の引き戸装置である。
請求項６の発明は、戸当りに設けられる第二の切り欠きは、ハンガーローラを戸体側に組み込むための組み込み部を左右方向外方から組み込みできる大きさに設定されていることを特徴とする請求項４を引用する請求項５に記載の引き戸装置である。
請求項７の発明は、戸当りは、係止ロッドが上下方向出没自在に内嵌されるものとし、前記第二の切り欠きは、戸体の閉鎖状態で前記ロック受けが戸当りの左右方向外端縁よりも内方に位置できるように設定されていることを特徴とする請求項５または６記載の引き戸装置である。
請求項８の発明は、前記第二の切り欠きは、該戸当りの上端部を切除することで形成されていることを特徴とする請求項５乃至７の何れか１記載の引き戸装置である。
請求項９の発明は、戸当りは、エッジ部材に対して上下方向スライド移動することで嵌合組み込みされるものであることを特徴とする請求項５乃至８の何れか１記載の引き戸装置である。
請求項１０の発明は、開口部上端部に設けたハンガーレールに、戸体の上端部に設けられるハンガーローラを左右移動自在に吊持することで左右開閉移動ができるように構成すると共に、戸体の上端部に、ハンガーローラの位置調整をするための調整具が戸体上端部の左右方向外端側から操作できるよう設けられ、戸体の左右方向外端縁部に、躯体側に設けたロック受けに出没自在に嵌入係止して戸体のロックをするため上下移動する係止ロッドが設けられた引き戸装置において、前記調整具よりも下側位置が係止ロッドの解錠位置となるよう設定されたものであって、戸体が閉鎖したときに躯体側に当接する戸当りが組込まれたエッジ部材を戸体の左右方向外端縁に組け付けた後、戸当り及びエッジ部材の上端部に形成された切り欠きを通してハンガーローラの組み込み部を左右方向外端側から左右スライド移動することでハンガーローラの戸体への組み込みをし、しかる後、係止ロッドを解錠位置にした状態で前記切り欠きを通して調整具の調整操作をするようにしたことを特徴とする引き戸装置の組み込み方法である。
【発明の効果】
【０００６】
請求項１の発明とすることで、解錠状態において係止ロッドは調整具よりも下側にある結果、戸体を開放することで係止ロッドが邪魔になることなく調整具の戸体左右方向外端側からの調整作業ができることになって、従来のように係止ロッドがない状態にしての調整具の調整作業が強いられることがなく、このため係止ロッドを工場出荷の段階で既に戸体に取り付けたものにしておくことができるだけでなく、戸体をハンガーレールに吊持した状態でいちいち係止ロッドを外さないでのハンガーローラの位置調整作業ができることになる。
請求項２の発明とすることで、解錠位置の係止ロッドを調整具よりも下側位置としたものでありながら、ロック受けを調整具を塞ぐ位置という低い位置に配設したものとなって、係止ロッドは、移動ストロークがハンガーレールに至るもののように長いものとする必要がなくなって汎用性の高いものを採用することができる。
請求項３の発明とすることで、戸体の左右方向外端縁にエッジ部材が設けられたものでありながら、該エッジ部材に設けた切り欠きを通して調整具の調整ができることになって、エッジ部材が調整具調整の邪魔になることがない。
請求項４の発明とすることで、戸体の左右方向外端側からエッジ部材に設けられる切り欠きを通してハンガーローラの組み込み部ができることになってハンガーローラの組み込みが、エッジ部材が従前に組み込まれた戸体であってもできることになり、現場作業が容易になる。
請求項５の発明とすることで、エッジ部材にさらに戸当りが設けられたものであっても、該エッジ部材および戸当りに設けた切り欠きを通して調整具の調整ができることになって、エッジ部材および戸当りが調整具調整の邪魔になることがない。
請求項６の発明とすることで、戸体の左右方向外端側からエッジ部材および戸当りに設けられる切り欠きを通してハンガーローラの組み込み部ができることになってハンガーローラの組み込みが、エッジ部材、戸当りが従前に組み込まれた戸体であってもできることになり、現場作業が容易になる。
請求項７の発明とすることで、戸当りが係止ロッドを内嵌されたものとして戸体に近接した配置ができながら、ロック受けについても、第二切り欠きを利用して戸当りの左右方向外端縁よりも内方に配設できることになって、ロック機構のコンパクト配置ができることになる。
請求項８の発明とすることで、第二の切り欠きは、戸当りの上端部を切除するだけでできることになって加工が容易になる。
請求項９の発明とすることで、戸当りは、エッジ部材に対して上下方向のスライド移動で嵌合組み込みがなされることになって、エッジ部材から左右方向外端側に外れることがない組み込み構造とすることができる。
請求項１０の発明とすることで、戸体にエッジ部材、戸当りを組み付けた後、ハンガーローラの組み込みができ、そしてその後、調整具の調整作業ができることになる結果、係止ロッドを工場出荷の段階で既に戸体に取り付けたものにしておくことができるだけでなく、戸体をハンガーレールに吊持した状態でいちいち係止ロッドを外さないでのハンガーローラの位置調整作業ができることになる。
【図面の簡単な説明】
【０００７】
【図１】トイレブースの背面図である。
【図２】トイレブースの縦断背面図である。
【図３】トイレブースの平面図である。
【図４】戸体の縦断側面図である。
【図５】トイレブースの要部縦断背面図である。
【図６】戸体戸先部位の平面図である。
【図７】戸体戸先部位の縦断背面図である。
【図８】戸体戸先部位の縦断側面図である。
【図９】（Ａ）（Ｂ）は係止ロッド部位の斜視図、ロック受けを外した状態を示す斜視図である。
【図１０】（Ａ）（Ｂ）（Ｃ）（Ｄ）（Ｅ）（Ｆ）はロック受けの平面図、正面図、左側面図、右側面図、底面図、斜視図である。
【図１１】（Ａ）（Ｂ）はハンガーローラ装置を戸体に組み込む前の状態を示す正面図、組み込んだ後の状態を示す正面図である。
【図１２】（Ａ）（Ｂ）はそれぞれ第一、第二実施の形態を示す戸当り部位の平面図である。
【発明を実施するための形態】
【０００８】
以下、本発明の実施の形態について、図面に基づいて説明する。図面において、本発明が実施されたトイレブースＴは、戸先側縦枠（戸先パネル）１、戸袋（戸尻パネル）２、該戸先側縦枠と戸袋２との間に形成される出入り口の室内側（室外側であってもよい）に左右方向開閉移動自在に設けられる引き戸式の戸体（ドアパネル）３等の各種部材を備えて構成されるが、これらの基本的構成はいずれも従来通りであるため、その詳細な説明は省略する。因みに、本実施の形態のトイレブースＴは単品であるが、複数を隣接する状態で連続的に組み合わせたもの等、種々の組み合わせのものについても実施することができる。
【０００９】
前記戸体３の上端部（上框）には、ハンガーローラ４を戸体３に組み込むため設けられる組み込み部４ａを組み込むための組み込み受け部３ａが設けられるが、該組み込み受け部３ａは、本実施の形態では凵字形をし、前記組み込み部４ａを左右方向外方から内方に向けてスライド移動させることで戸体３に組み込まれるように構成されている。因みに、組み込み部４ａの組み込み受け部３ａからの抜止めは、組み込み部４ａに設けた係止爪４ｂが組み込み受け部３ａに設けた係止受け３ｃに係止することによりなされるが、係止爪４ｂは、組み込み部４ａの左右方向外端部に設けた係止外し孔４ｃからドライバー等の適宜工具Ｋを差込み操作することで係止受け３ｃに対する係止が解除され、これによりハンガーローラ４の取り外しができるようになっている。因みにハンガーローラ４は、該ハンガーローラ４が回転自在に取付けられるローラブラケット４ｇを組み込み部４ａの上端部にビス４ｈを介して取付けられるようになっている。
さらに組み込み部４ａの左右方向外端部には、調整螺子（本発明の「調整具」に相当する。）４ｄの螺子頭４ｅが配設されるが、該螺子頭４ｅを、ドライバー等の適宜工具Ｋで回転操作することで上下傾斜ガイド４ｆによる上下移動がなされ、これによってハンガーローラ４の組み込み部４ａに対する上下位置調整がなされるが、これらの具体的構成については従来公知のものを採用しているので、その詳細構成についての説明は省略する。
【００１０】
５は出入口の上枠Ｗに設けられるハンガーレールであって、該ハンガーレール５は、冂字形をしたものの前後脚片の下端部から一対のレール片５ａが前後方向内方に向けて延出形成されており、該レール片５ａの対向間は、組み込み部４ａとローラブラケット４ｇとを連結するための連結部４ｊが遊嵌状に貫通するための開口５ｂとなっている。そしてレール片５ａを前記ハンガーローラ５が転動することで戸体３の左右開閉移動ができるようになっている。
【００１１】
さらにハンガーレール５には、ダンパ６が戸先側に設けられるが、該ダンパ６に設けられる受け部材６ａに、戸先側ハンガーローラ４のローラブラケット４ｇを組み込み部４ａに取り付けるための戸先側のビス４ｈに共締めされたダンパ当たり４ｉが戸体３の閉鎖少し前位置からの閉鎖過程で当接することで戸体３の閉鎖時の衝撃緩衝（吸収）をするようになっている。
またハンガーレール５には、全開した戸体３が自閉装置７により自閉しないよう仮的に保持するため戸尻側ハンガーローラ４のローラブラケット４ｇの上端面に弾圧状に摺接する弾圧部材５ｃが設けられている。
【００１２】
前記戸体３の左右方向両端縁部にはそれぞれエッジ部材８が設けられるが、該エッジ部材８は、戸体３の左右外端縁を塞ぐ塞ぎ部８ａと、該塞ぎ部８ａの前後両端縁から左右方向内方に向けて延出されて戸体３の表裏面板３ｂに前後方向から重合する一対の重合部８ｂと、塞ぎ部８ａの前後両端縁から左右方向外方に向けて延出され、先端部８ｄが前後方向内方に向けて折曲された一対の脚片部８ｃとを備えて構成されている。
そして該エッジ部材８の塞ぎ部８ａの上端部には切り欠き（第一の切り欠き）８ｅが形成されているが、該切欠き部８ｅの下端縁は、戸体３に設けた前記組み込み受け部３ａの下端縁以下となるように設定されている。
【００１３】
９は戸先側のエッジ部材８に組み込まれる戸当り（戸先側戸当り）であって、該戸当り９は、前記エッジ部材８の一対の先端部８ｄにそれぞれ外嵌係止する状態で上下方向（エッジ部材８の長さ方向）スライド移動可能な一対の係止脚部９ａと、該一対の係止脚部９ａの左右方向外端からそれぞれ延出したものが、エッジ部材８の塞ぎ部８ａに対して左右方向外方にスペース（間隙）Ｓを存する状態で一連状に連結した連結部９ｂと、室外側の係止脚部９ａから室外側に向けて延出形成され、戸体３の閉鎖時に戸先側縦枠１に当接（戸当り）して目隠し状に封止する機能を発揮するための封止片部９ｃと、該封止片部９ｃから前記連結部９ｂを左右方向外側から覆う状態で室内側に向けて延出された覆い部９ｄとを備えて構成されている。
そして戸当り９は上端部が切除９ｅされることで、該戸当り９の上端側に第二の切り欠き９ｆが形成されるが、該切除９ｅの位置は、前記エッジ部材８の塞ぎ部８ａに形成した第一の切り欠き８ｅの下端縁位置と同じに設定され、これらにより、前記ハンガーローラ４の組み込み部４ａを、エッジ部材８の第一切り欠き８ｅ、戸当り９の第二切り欠き９ｆを左右方向外方から通す状態で左右方向外端側から内方に向けてスライド移動して組み込み受け部３ａに組み込むことができると共に、該組み込み部４ａに設けた螺子頭４ｅの左右方向外方からの調整操作ができるようになっている。
【００１４】
また１０は戸尻側のエッジ部材８に組み込まれる戸当り（戸尻側戸当り）であって、該戸当り１０は、前記エッジ部材８の一対の先端部８ｄにそれぞれ外嵌係止する係止脚部１０ａと、該一対の係止脚部１０ａの左右方向外端からそれぞれ延出したものが、エッジ部材８の塞ぎ部８ａに対して左右方向外方に間隙を存する状態で一連状に連結した連結部１０ｂとを備えて構成されている。
そして該戸尻側の戸当り１０にも、前記戸先側の戸当り９と同様、上端部が切除されることで第二の切り欠き１０ｆが形成され、これにより、ハンガーローラ４の組み込み部４ａのスライド組み込み及び螺子頭４ｅの左右方向外方からの調整操作ができるようになっている。尚、２ａ、２ｂは全開した戸体３の上下の位置決め停止をする位置決め部材、２ｃは戸体３の振れ止め部材である
【００１５】
１１は閉鎖した戸体３の施錠をするための係止ロッドであって、該係止ロッド１１は、エッジ部材８の塞ぎ部８ａと戸当り９の連結部９ｂとのあいだのスペースＳに上下方向移動自在に配されるものであり、係止ロッド１１を貫通支持する逆Ｌ字形をしたブラケット１１ａの縦片１１ｂを、エッジ部材８の塞ぎ部８ａに左右方向外側から当てがった状態でビス１１ｃを介して戸体３側に取り付けられるようになっている。
そして係止ロッド１１は、連結ロッド１１ｄを介して戸体３に設けた錠操作具（把手）１１ｅに連動連結され、該錠操作具１１ｅを操作することで、下動する解錠位置と上動した施錠位置とに上下移動するようになっているが、該係止ロッド１１は、解錠位置に位置せしめたときには、前記第一、第二の切り欠き８ｅ、９ｆと同位置かこれよりも下側に位置するよう設定され、これによって解錠状態としたときには、係止ロッド１１に邪魔されることなくハンガーローラ４の組み込み部４ａのスライド組み込み及び螺子頭４ｅの左右方向外方からの調整操作ができるようになっている。
一方、錠操作具１１ｅの操作により係止ロッド１１を施錠位置に移動させたときには、該係止ロッド１１は、切り欠き部８ｅ、９ｆの下端よりも上側に突出して螺子頭４ｅ位置まで移動し、これにより施錠状態では、係止ロッド１１が邪魔になってハンガーローラ４の組み込み部４ａのスライド組み込み及び螺子頭４ｅの左右方向外方からの調整操作ができないように設定されている。
【００１６】
１２は施錠位置に移動した係止ロッド１１が嵌入係止して戸体３の施錠をするためのロック受けであって、該ロック受け１２はハンガーレール５の戸先側端部に設けられている。そしてロック受け１２は、ハンガーレール５のレール片５ａにビス１２ａを介して固定されるベース板１２ｂと、該レール片５ａの上側面に当てがわれ、レール片５ａをあいだに挟む状態でビス１２ｃを介してベース板１２ｂに固定される当て板１２ｄと、ベース板１２ｂから下方に向けて垂設され、前記施錠位置の係止ロッド１１が嵌入係止するべく逆箱状に形成されたロッド受け部１２ｅと、戸体３が閉鎖したとき戸体３の小口部、本実施の形態ではエッジ部材８の塞ぎ部８ａが当接して干渉すべくゴム質弾性材から形成される当接部１２ｆとを備えて構成されるが、該ロック受け１２は、戸体３を閉鎖した状態でロッド受け部１２ｅの戸尻側部位が戸先側戸当り９に設けた第二の切り欠き９ｆの上端側に位置する（嵌入する）ようになっている。そしてロック受け１２は、まずレール片５ａに上側から当てがった当て板１２ｄを、レール片５ａをあいだに挟持する状態でビス１２ｃで緩い状態でベース板１２ｂに螺着し、この状態で左右位置調整をした後、ビス１２ｃを緊締すると共にビス１２ａを介してハンガーレール５に固定することで位置調整された取り付けができるようになっている。
【００１７】
叙述の如く構成された本実施の形態において、開口部上端部（上枠相当部）に設けたハンガーレール５に、戸体３の上端部に設けられるハンガーローラ４を左右移動自在に吊持することで開口部の左右開閉移動ができるように構成され、しかも該戸体３の上端部に、ハンガーローラ４の位置調整をするための調整螺子４ｄが、戸体３の上端部の左右方向外端側から操作できるように設けられ、戸体３の左右方向外端縁部に、躯体側に設けたロック受け１２に出没自在に嵌入係止して戸体３のロック（施錠）をするため上下移動する係止ロッド１１が設けられたものでありながら、該係止ロッド１１は、前記調整螺子４ｄよりも下側位置が解錠位置となるように設定されている結果、係止ロッド１１は、解錠状態としたときには調整螺子４ｄよりも下側に位置することになり、このため、戸体３を開放位置（全開および中途開状態）に位置することで調整螺子４ｄは係止ロッド１１に邪魔されないものとなる。この結果、係止ロッド１１の邪魔がない状態での調整螺子４ｄの戸体左右方向外端側からの調整作業をしてハンガーローラ４の位置調整ができることになって、従来のように係止ロッド１１をいちいち取外した状態での調整螺子４ｄの調整作業が強いられることがなく、このため係止ロッド１１を工場出荷の段階で既に戸体３に取り付けたものにしておいて係止ロッド１１の取り付け精度が高いものを提供できるだけでなく、戸体３をハンガーレールに吊り込んだ後にハンガーローラ４の位置調整をしたい場合に、いちいち係止ロッド１１を取り外さなくてもできることになって作業性が向上する。
【００１８】
そのうえ係止ロッド１１は、上動して施錠位置となった状態では、調整螺子４ｄを戸体３の左右方向外端側で塞ぐ位置に設けたロック受け１２に嵌入係止することことになって施錠することになるから、解錠位置の係止ロッド１１を調整螺子４ｄよりも下側に位置させて調整螺子４ｄの調整作業が係止ロッド１１に邪魔されることがない状態でできるものでありながら、ロック受け１２は、ハンガーレール５位置ではなく、調整螺子４ｄを塞ぐ位置という低い位置に配設したものとなって、係止ロッド１１は、移動ストロークがハンガーレール５にまで至るもののように長いものとする必要がなくなって汎用性の高いものをそのまま採用することができる。
【００１９】
しかもこのものでは、戸体３の左右方向端縁には、戸体３の左右方向端縁を塞ぐための塞ぎ部８ａが設けられたエッジ部材８が取り付けられ、しかも該エッジ部材８には、戸体３が閉鎖したときに戸先側縦框（躯体側部材の例）１に当接して封止機能を発揮する封止片部９ｃを備えた戸当り９が設けられるものでありながら、これらエッジ部材８および戸当り９に設けた第一、第二の切り欠き８ｅ、９ｆを通して戸体３の左右方向外端側からの調整螺子４ｄの調整ができることになって、エッジ部材８および戸当り９が戸体３に予め取り付けられたものであっても調整螺子４ｄの調整作業の邪魔になることがなく、いちいちエッジ部材８、戸当り９を取外す必要がなく、作業性が向上する。
【００２０】
そのうえこのものでは、エッジ部材８および戸当り９に形成される第一、第二の切り欠き８ｅ、９ｆは、ハンガーローラ４を戸体３側に組み込むための組み込み部４ａを左右方向外方から嵌入組み込みできる大きさに設定されているため、エッジ部材８および戸当り９が戸体３に予め組み付けられた状態のままで、これら切り欠き８ｅ、９ｆを通してハンガーローラ４の組み込み部４ａが左右方向外方からスライド移動する状態でできることになって、ハンガーローラ４の戸体３への組み込みが、エッジ部材８、戸当り９が従前に組み込まれた戸体３であってもできることになり、現場作業が容易になる。
尚、本発明は、係止ロッド１１が、前記調整螺子４ｄよりも下側位置が解錠位置となるように設定されたものであればよいのであるから、エッジ部材８、戸当り９が取り付けられていない戸体３、さらにはエッジ部材８が取り付けられているが戸当り９は取り付けられていない戸体３としても実施することができる。
【００２１】
また戸当り９としては、係止ロッド１１が上下方向出没自在に内嵌されるものであって、戸体３が閉鎖状態になったときに、戸当り９に形成される第二の切り欠き９ｆの上側部位、つまり戸当り９の左右方向外端縁よりも内方に位置する状態でロック受け１２を配することができ、このためロック受け１２についても、第二の切り欠き９ｆを利用しての戸体３の内方側への配設ができることになって、ロック装置（機構）のコンパクト配置ができることになる。
しかもこの場合に、前記第二の切り欠き９ｆは戸当り９の上端部全体を切除することで形成されるため、該第二の切り欠き９ｆの形成が簡単になる。勿論、第二の切り欠き９ｆは、戸当り９全体を切除することなく、部分的に切り欠いたものとしても実施することができる。
そのうえ戸当り９は、係止脚部９ａがエッジ部材８の先端部８ｄに嵌合係止する状態でエッジ部材８に対して上下方向スライド移動することで嵌合組み込みされるものであるから、戸当り９を、エッジ部材８に対して左右方向外端側に外れることがない確りとした組み込み構造とすることができ、都合が良いが、例えば図１２（Ｂ）に示す実施の形態のように、戸当り９を、エッジ部材８の先端部８ｄに対して左右方向に係脱自在な係止爪９ｇが形成されたものとしても実施することができる。
【００２２】
また本発明では、戸体３をハンガーレール５に吊り込む場合に、前記戸当り９が組込まれたエッジ部材８を戸体３の左右方向外端縁に組け付けた後、戸当り９及びエッジ部材８の上端部に形成された切り欠き８ｅ、９ｆを通してハンガーローラ４の組み込み部４ａを左右方向外端側から左右スライド移動して戸体３の組み込み受け部３ａに組み込むことでハンガーローラ４の戸体３への組み込みをしたものとしても、係止ロッド１１は、解錠位置が調整螺子４ｄよりも下側に位置するため、戸体３をハンガーレール５に吊り込んだ後において、前記第一、第二の切り欠き８ｅ、９ｆを通して調整螺子４ｄの調整操作をしてハンガーローラ４の位置調整ができることになる結果、係止ロッド１１を工場出荷の段階で既に戸体３に取り付けたものにしておくことができるだけでなく、戸体３をハンガーレール５に吊持した状態にしたまま、いちいち係止ロッド１１を戸体３から外さない状態でハンガーローラ４の位置調整作業ができることになる。
【産業上の利用可能性】
【００２３】
本発明は、トイレブースに形成される開口部の開閉をする引き戸装置として利用することができる。
【符号の説明】
【００２４】
１  戸先側縦枠
３  戸体
３ａ  組み込み受け部
４  ハンガーローラ
４ａ  組み込み部
４ｄ  調整螺子
５  ハンガーレール
８  エッジ部材
８ａ  塞ぎ部
８ｅ  第一の切り欠き
９  戸当り
９ｅ  切除
９ｆ  第二の切り欠き
１１  係止ロッド
１２  ロック受け
Ｔ  トイレブース
【図１】
2019035203.tif 000003
【図２】
2019035203.tif 000004
【図３】
2019035203.tif 000005
【図４】
2019035203.tif 000006
【図５】
2019035203.tif 000007
【図６】
2019035203.tif 000008
【図７】
2019035203.tif 000009
【図８】
2019035203.tif 000010
【図９】
2019035203.tif 000011
【図１０】
2019035203.tif 000012
【図１１】
2019035203.tif 000013
【図１２】
2019035203.tif 000014